(57)【要約】      （修正有）【課題】磁力の集束効果を高め、かつ人体に接触する場合に痛みを感じさせることのない磁気パッドであって、かつ磁石のＮ極面から負電荷を供して、凝りなどによる疼痛を緩和する効果を高めた磁気パッドを提供する。【解決手段】少なくとも一以上の貼付パッド１と、貼付パッド１の一方の面に形成する少なくとも１以上の粘着層１１と、粘着層１１を介して貼付パッド１に貼着する少なくとも一以上の磁石２と、によって構成し、磁石２がＮ極面と、Ｎ極面とは反対側のＳ極面とを具え、Ｓ極面が貼付パッドに緊密に貼着するとともに、磁石２のＮ極面にテーパ状端部を形成し、テーパ状端部の円弧の半径を４．０４ｍｍから５．０４ｍｍの間とする。【選択図】図１
0003219714.tif 000002
【実用新案登録請求の範囲】
【請求項１】
少なくとも一以上の貼付パッドと、
該貼付パッドの一方の面に形成する少なくとも１以上の粘着層と、
該粘着層を介して該貼付パッドに貼着する少なくとも一以上の磁石と、を具え、
該磁石がＮ極面と、該Ｎ極面とは反対側のＳ極面とを具え、該Ｓ極面が該貼付パッドに緊密に貼着するとともに、該磁石の該Ｎ極面にテーパ状端部を形成し、該テーパ状端部の円弧の半径が４．０４ｍｍから５．０４ｍｍの間であることを特徴とする磁気パッド。
【請求項２】
前記貼付パッドの一方の面に剥離台紙を貼設することを特徴とする請求項１に記載の磁気パッド。
【請求項３】
前記剥離台紙に少なくとも１以上の孔部を穿設することを特徴とする請求項２に記載の磁気パッド。
【請求項４】
前記剥離台紙に少なくとも１以上のスリットを形成することを特徴とする請求項２に記載の磁気パッド。
【請求項５】
前記磁石が、円錐か、もしくは円柱の形態であることを特徴とする請求項１に記載の磁気パッド。
【請求項６】
前記磁石の該Ｓ極面の直径が、４ｍｍから１０ｍｍの間であることを特徴とする請求項５に記載の磁気パッド。
【請求項７】
前記貼付パッドにエネルギー層を設けることを特徴とする請求項１に記載の磁気パッド。
【考案の詳細な説明】
【技術分野】
【０００１】
この考案は、粘着パッドに磁石を設け、人体のつぼなどに貼付固定する磁気パッドに関する。
【背景技術】
【０００２】
現代社会において、ホワイトカラーと呼ばれる人々は、そのほとんどが長時間にわたりコンピュータの前に腰掛け仕事をする。その結果、一日の内で体を動かすことは何回もないだろう。このため肩や首筋の凝りを招き、係る症状はホワイトカラーの職業病ともいえるほどになっている。また、不自然な姿勢、又はスポーツ障害などに起因して身体の各部位に凝りや疼痛が発生することもある。
【０００３】
現代社会において、人々は身体に凝りや疼痛を感じた場合、様々な方法を用いて症状を軽減させようとする。例えば、マッサージ、薬の塗布、湿布薬などの貼り薬の貼付などである。その内、多用されている方法としては、貼り薬の貼付が挙げられる。その理由を挙げると、マッサージは専業の施術者の手を借りねばならず、塗り薬などを塗布すれば身体に薬物が容易に残留する。よって、貼り薬を貼付する方法こそ、現代社会において人々が多用する症状緩和の方法となっている。
【０００４】
身体の凝りなどによる疼痛を緩和する貼り薬は、その大部分が磁石を追加して効果の増強を図っている。これら磁石の一部のものは、人体に接触する側が円錐状に尖っていて、人体のつぼに当接して圧迫する。但し、係る様式は、尖った部分が接触することで容易に痛みを感じることが問題となっている、また、一部の磁石は平面が接触する。但し、係る平面接触方式は、磁力の集束が不完全である。また、一部の磁石は磁力の放出面の位置が設定されていなく、このため人体に対して異なる効果を与えることになる。
【考案の概要】
【考案が解決しようとする課題】
【０００５】
この考案は、磁力の集束効果を高め、かつ人体に接触する場合に痛みを感じさせることのない磁気パッドを提供することを課題とする。
【０００６】
また、この考案は、磁石のＮ極面から負電荷を供して、凝りなどによる疼痛を緩和する効果を高めた磁気パッドを提供する。
【課題を解決するための手段】
【０００７】
そこで、この考案による磁気パッドは、少なくとも一以上の貼付パッドと、該貼付パッドの一方の面に形成する少なくとも１以上の粘着層と、該粘着層を介して該貼付パッドに貼着する少なくとも一以上の磁石と、によって構成し、該磁石がＮ極面と、該Ｎ極面とは反対側のＳ極面とを具え、該Ｓ極面が該貼付パッドに緊密に貼着するとともに、該磁石の該Ｎ極面にテーパ状端部を形成し、該テーパ状端部の円弧の半径を４．０４ｍｍから５．０４ｍｍの間とする。
【０００８】
上述する構造によれば、人体の凝りなどによって疼痛を感じる箇所にこの考案の磁気パッドを貼付し、かつ磁石を人体のつぼに当接させる。よって、該磁石のＮ極面から放出される負電荷が人体の磁場を平均化し、鎮痛や消炎などの効果を達成し、また深層の疲労を解消する効果が得られる。しかも、テーパ状端部を形成することによって磁力の集束効果が高まり、磁力による効果が増強される。更には、テーパ状端部によって人体のつぼを押圧することで従来の技術に見られるように接触による痛みを感じることなく、凝りや疼痛を緩和し、深層の疲労を回復させる効果が得られる。
【図面の簡単な説明】
【０００９】
【図１】この考案による磁気パッドの外観を示した斜視図である。
【図２】この考案による磁気パッドの側面図である。
【図３】この考案による磁気パッドを分解した状態を示した説明図である。
【図４】この考案による磁気パッドの使用態様を示した説明図である。
【図５】この考案による磁気パッドの使用態様を示した他の説明図である。
【図６】他の実施の形態による磁気パッドを分解した状態を示した説明図である。
【図７】他の実施の形態による磁気パッドを取り出す動作を示した説明図である。
【図８】他の実施の形態による磁気パッドの使用態様を示した他の説明図である。
【考案を実施するための形態】
【実施例】
【００１０】
図１から図３は、それぞれこの考案による磁気パッドの斜視図、側面図、及び分解した状態を示した説明図であって、図面の開示から明らかなように、この考案による磁気パッドは、貼付パッド１と、粘着層１１と、磁石２とを具え、粘着層１１は貼付パッド１上に形成する。磁石２は、粘着層１１を介して貼付パッド１に貼設する。また、磁石２はＮ極面２１と、Ｎ極面２１とは反対側のＳ極面２２とを具える。Ｓ極面２２は粘着層１１を介して貼付パッド１に緊密に貼着する。Ｎ極面２１には円弧線を描くテーパ状端部２３を形成する。テーパ状端部２３の円弧の半径は４．０４ｍｍから５．０４ｍｍの間とする。但し、磁石２の形態は円柱か、もしくは円錐の内のいずれか一つであればよく、一つの形態に限定することはしない。また、Ｓ極面２２の直径は４ｍｍから１０ｍｍの間とする。
【００１１】
この考案の技術と構造については上述するとおりであって、係る技術と構造を応用することによって、テーパ状端部２３が磁力の集束と、つぼを押圧するという効果が得られる。詳しくは次のとおりである。
【００１２】
図１から図５は、この考案による磁気パッドの斜視図、側面図、分解した状態を示した説明図、及びこの考案による磁気パッドの使用態様を示した説明図であって、図面の開示から明らかなように、上述する部材で構成される、この考案の磁気パッドは、粘着層１１を利用して貼付パッド１を人体の疼痛を感じる部位に貼付する。この場合、磁石２が人体のつぼに当たるようにする。よって、磁石２のＮ極面２１から放出される負電荷が人体の磁場を平均化し、鎮痛、消炎などの効果を達成する。しかも、テーパ状端部２３の集束効果によって、磁石２から放出される磁力線５がさらに集束し、磁力線５によって発生する効果が増強される。同時に、テーパ状端部２３によって人体の坪を押圧することで、疼痛を緩和する効果を増強することができる。テーパ状端部２３の円弧の半径は４．０４ｍｍから５．０４ｍｍの間とするため、人体の皮膚に滑らかに接触して刺激することがなく、つぼを押圧する場合に容易に痛みを感じさせない。よって、使用上更なる好ましい感覚が得られる。
【００１３】
図６から図８は、第２の実施の形態による磁気パッドの分解図、及び使用態様を示した説明図である。図面の開示から明らかなように、第２の実施の形態は、上述する第１の実施の形態とほぼ同様であるが、複数の貼付パッド１ａを同一の剥離台紙３ａ上に貼設する。よって、収納、又は携帯に便利である。剥離台紙３ａには、貼付パッド１ａを貼設する位置に対応する位置に孔部３１ａを穿設して、貼付パッド１ａを剥離台紙３ａの一方の面に貼設した場合に磁石２ａが孔部３１ａから他方の面に出るようにする。また、剥離台紙３ａには側縁部から孔部３１ａに至るスリット３２ａを形成する。よって、貼付パッド１ａを剥離台紙３ａから取り出す場合、剥離台紙３ａをスリット３２ａに沿って剥がすことができ、貼付パッド１ａの取り出しが容易になる。
【００１４】
また、貼付パッド１ａにはエネルギー層４ａを形成する。エネルギー層４ａは、遠赤外線効果、もしくはマイナスイオン効果を有する電磁波を放出する。よって、貼付パッド１ａは、さらに多様化された効果を具えることになる。
【００１５】
上述するように、この考案による磁気パッドは、従来の技術に見られる欠点を改善するものであって、その技術上のキーポイントについては、磁石２のＮ極面２１が人体に有益な負電荷を放出するとともに、テーパ状端部２３を形成することによって磁力の集束を高める効果が得られ、かつテーパ状端部２３が人体のつぼに当接する場合、心地よく滑らかに接するため、従来の技術に見られるように痛みを感じることがない、という点が挙げられる。
【符号の説明】
【００１６】
１、１ａ  貼付パッド
１１      粘着層
２、２ａ  磁石
２１      Ｎ極面
２２      Ｓ極面
２３      テーパ状端部
３ａ      剥離台紙
３１ａ    孔部
３２ａ    スリット
４ａ      エネルギー層
５        磁力線
【図１】
0003219714.tif 000003
【図２】
0003219714.tif 000004
【図３】
0003219714.tif 000005
【図４】
0003219714.tif 000006
【図５】
0003219714.tif 000007
【図６】
0003219714.tif 000008
【図７】
0003219714.tif 000009
【図８】
0003219714.tif 000010